【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
魚形状をした魚形状体を備え、前記魚形状体の先端部に設けられたアイ部に釣り糸が結び付けられる釣り用ルアーにおいて、
前記魚形状体は、その後端部に設けられた尾びれ部を有することを特徴とする釣り用ルアー。
【請求項２】
前記尾びれ部は、前記魚形状体の前記後端部に前後方向に延びる前後軸線を中心として所定角度範囲にわたって旋回自在に取り付けられていることを特徴とする請求項１に記載の釣り用ルアー。
【請求項３】
前記尾びれ部は、前記魚形状体に取り付けられる取付部と、前記取付部から後方に延びるひれ部とを有し、前記取付部の少なくとも一側部に旋回拘束部が設けられており、前記取付部の前記旋回拘束部が前記魚形状体の前記後端部に当接することによって、前記尾びれ部の前記前後軸線を中心とする旋回動が拘束されることを特徴とする請求項２に記載の釣り用ルアー。
【請求項４】
前記尾びれ部の前記ひれ部は、前記取付部の下端部から後方に向けて下方に傾斜して延びていることを特徴とする請求項１〜３のいずれかに記載の釣り用ルアー。
【請求項５】
前記尾びれ部の前記ひれ部は、前記魚形状体の幅方向両側に延びており、前記ひれ部の両側部は、その中央部から両側に向けて上方に傾斜して延びていることを特徴とする請求項１〜４のいずれかに記載の釣り用ルアー。
【請求項６】
前記魚形状体は、前記アイ部が設けられたヘッド部と、前記尾びれ部が設けられたテール部とを備え、前記ヘッド部と前記テール部とが上下方向に延びる上下軸線を中心として所定範囲にわたって旋回自在に連結されていることを特徴とする請求項１〜５のいずれかに記載の釣り用ルアー。
【請求項７】
前記尾びれ部は、前記魚形状体に取り付けられる取付部と、前記取付部から後方に延びるひれ部とを有し、前記ひれ部は、前記魚形状体の幅方向両側に延び、その両側部が中央部から両側に向けて上方に傾斜して延びる第１取付状態と、その両側部が前記中央部から両側に向けて下方に傾斜して延びる第２取付状態に選択的に取付可能であることを特徴とする請求項１〜３のいずれかに記載の釣り用ルアー。
【請求項８】
前記魚形状体の前部にはリップ部が設けられていることを特徴とする請求項１〜７の何れかに記載の釣り用ルアー。
【請求項９】
前記尾びれ部は前記魚形状体に水平状に設けられていることを特徴とする請求項１〜８の何れかに記載の釣り用ルアー。
【手続補正２】
【補正対象書類名】明細書
【補正対象項目名】００１０
【補正方法】変更
【補正の内容】
【００１０】
本発明の請求項１に記載の釣り用ルアーは、魚形状をした魚形状体を備え、前記魚形状体の先端部に設けられたアイ部に釣り糸が結び付けられる釣り用ルアーにおいて、
前記魚形状体は、その後端部に設けられた尾びれ部を有することを特徴とする釣り用ルアー。
【手続補正３】
【補正対象書類名】明細書
【補正対象項目名】００１６
【補正方法】変更
【補正の内容】
【００１６】
更に、本発明の請求項７に記載の釣り用ルアーでは、前記尾びれ部は、前記魚形状体に取り付けられる取付部と、前記取付部から後方に延びるひれ部とを有し、前記ひれ部は、前記魚形状体の幅方向両側に延び、その両側部が中央部から両側に向けて上方に傾斜して延びる第１取付状態と、その両側部が前記中央部から両側に向けて下方に傾斜して延びる第２取付状態に選択的に取付可能であることを特徴とする。
また、本発明の請求項８に記載の釣り用ルアーでは、前記魚形状体の前部にはリップ部が設けられていることを特徴とする。また、本発明の請求項９に記載の釣り用ルアーでは、  前記尾びれ部は前記魚形状体に水平状に設けられていることを特徴とする。
【手続補正４】
【補正対象書類名】明細書
【補正対象項目名】００１７
【補正方法】変更
【補正の内容】
【００１７】
本発明の釣り用ルアーによれば、魚形状体の尾びれ部がこの魚形状体に水平状に設けられているので、リールの巻き速度を速くして釣り用ルアーを速く動かしても尾びれ部の抵抗によって魚形状体の水面上への飛び上がりを抑えることができる。従って、例えばリールを速く巻くことによって、魚が速く逃げるような動きを見せることができ、このような動きは、肉食魚（例えば、ブラックバス）にとっては本物の魚のように見え、肉食魚の食いつきが良い釣り用ルアーを提供することができる。
【手続補正５】
【補正対象書類名】明細書
【補正対象項目名】００１８
【補正方法】変更
【補正の内容】
【００１８】
また、尾びれ部は、魚形状体の後端部に前後方向に延びる前後軸線を中心として所定角度範囲にわたって旋回自在に取り付けられているので、リールを巻いて釣り用ルアーを動かした際に、魚形状体のローリングが抑えられ、これによって、実際の魚が泳ぐように見せることができる。
【手続補正６】
【補正対象書類名】明細書
【補正対象項目名】００１９
【補正方法】変更
【補正の内容】
【００１９】
また、尾びれ部は、魚形状体に取り付けられる取付部と、この取付部から後方に延びるひれ部とを有し、取付部の少なくとも一側部に旋回拘束部が設けられているので、この旋回拘束部の上端部が魚形状体に当接する角度からその下端部が魚形状体に当接する角度の範囲にわったって旋回し、この旋回角度範囲を越える旋回動を確実に阻止することができる。
【手続補正７】
【補正対象書類名】明細書
【補正対象項目名】００２０
【補正方法】変更
【補正の内容】
【００２０】
また、尾びれ部のひれ部は、取付部の下端部から後方に向けて下方に傾斜して延びているので、リールを回して釣り用ルアーを動かした際に、このひれ部が抵抗となって魚形状体の動きを激しくすることができる。特に、魚形状体が上下軸線を中心として相互に横方向に旋回自在に連結されたヘッド部及びテール部から構成された形態のものにおいては、ヘッド部に対してテール部が上下軸線を中心として激しく横方向に動いて魚が激しく跳ねるように見え、これによって、肉食魚（例えば、ブラックバスなど）の食いつきを良くすることができる。
【手続補正８】
【補正対象書類名】明細書
【補正対象項目名】００２１
【補正方法】変更
【補正の内容】
【００２１】
また、尾びれ部のひれ部の両側部は、その中央部から両側に向けて上方に傾斜して延びているので、リールを巻いた際の抵抗を適度に逃がすことができ、これによって、リールを巻くときの負荷を適度にして巻くときの疲れを少なくすることができる。
【手続補正９】
【補正対象書類名】明細書
【補正対象項目名】００２２
【補正方法】変更
【補正の内容】
【００２２】
また、魚形状体のヘッド部とそのテール部とが上下軸線を中心として所定範囲にわたって旋回自在に連結されているので、リールを巻いて釣り用ルアーを動かした際に、ヘッド部に対してテール部が横方向に動いて実際の魚が動くように見せかけることができる。
【手続補正１０】
【補正対象書類名】明細書
【補正対象項目名】００２３
【補正方法】変更
【補正の内容】
【００２３】
更に、魚形状体の尾びれ部は、ひれ部の両側部が中央部から両側に向けて上方に傾斜して延びる第１取付状態と、その両側部が中央部から両側に向けて下方に傾斜して延びる第２取付状態に選択的に取付可能であるので、リールを巻いて動かした際に、魚形状体に２種類の動きをさせることができる。特に、魚形状体が上下軸線を中心として相互に横方向に旋回自在に連結されたヘッド部及びテール部から構成された形態のものにおいては、第１取付状態においては、尾びれ部の抵抗によりヘッド部とテール部が上下軸線を中心として旋回するように動くのに対し、第２取付状態においては、尾びれ部の抵抗が小さくなってヘッド部とテール部との旋回動が抑えられるようになり、このように２種類の釣り用ルアーとして用いることができる。
【手続補正１１】
【補正対象書類名】明細書
【補正対象項目名】００２９
【補正方法】変更
【補正の内容】
【００２９】
ヘッド部６の前端部にはアイ部２６が設けられている。この形態では、取付ピン２８の先端側がヘッド部６の前端部に埋設され、この取付ピン２８のリング状の取付頭部３０がアイ部２６として機能する。このアイ部２６には、釣り竿（図示せず）に取り付けられたリール（図示せず）からの釣り糸３２が結び付けられ、リールを巻く（又は釣り竿を引く）ことによって、釣り糸３２を介して釣り用ルアー２を移動させることができる。
【手続補正１２】
【補正対象書類名】明細書
【補正対象項目名】００３２
【補正方法】変更
【補正の内容】
【００３２】
魚形状体４には、二つのフック３９，４０が設けられている。フック３９，４０は実質上同一の構成であり、リング状連結部４２と、このリング状連結部４２からＪ字状に延びる三つの針部４４を有し、これら針部４４は、周方向に間隔て配設されている。この形態では、一方のフック３９はヘッド部６の前下腹部に設けられ、この前下腹部に取り付けられた取付ピン４６の取付リング部４８に、フック３９のリング状連結部４２が連結されている。また、他方のフック４０は後下腹部に設けられ、この後下腹部に取り付けられた取付ピン５０の取付リング部５２に、フック４０のリング状連結部４２が連結されている。このようなフック３９，４０は、それ自体周知の他の形態のものを用いるようにしてもよい。
【手続補正１３】
【補正対象書類名】明細書
【補正対象項目名】００４１
【補正方法】変更
【補正の内容】
【００４１】
また、尾びれ部３８のひれ部５６における左右側部５８，６０は、図１及び図４〜図６に示すように、その中央部８０から両側に向けて上方に傾斜するように構成するのが好ましく、この左右側部５８，６０の傾斜角度β（中央部８０に対する上方への傾斜角度）（図６参照）は、１０〜５０度（１０度≦β≦５０度）程度に設定され、２０〜３５度（２０度≦β≦３５度）程度であるのが好ましい。左右側部５８，６０の傾斜角度βが大きくなると、両側部５８，６０に対する水の抵抗が小さく、魚形状体４のローリング抵抗が小さくなり、リールを巻いて釣り用ルアー２を動かす際の負荷が小さくなり、またこの傾斜角度βが大きくなると、両側部５８，６０に対する水の抵抗が大きく、魚形状体４のローリング抵抗が大きくなり、リールを巻いて動かす際の負荷が大きくなる。この尾びれ部３８を例えば金属プレートから形成した場合、ひれ部５６の基部と同様に、その両側部５８，６０の基部（具体的には、中央部８０と左右の側部５８，６０との接続部位）を変形させてこの傾斜角度βを容易に調整することができる。
【手続補正１４】
【補正対象書類名】明細書
【補正対象項目名】００４４
【補正方法】変更
【補正の内容】
【００４４】
この尾びれ部３８は、上述した取付状態（第１取付状態）と上下逆に裏返した状態で取付ねじピン６８によりテール部８に取り付けることができる。この取付状態（第２取付状態）においては、上述したと反対に、尾びれ部３８の左旋回拘束部６２は、テール部８の右側面の外側に位置し、その右旋回拘束部６４は、テール部８の左側面の外側に位置する。また、尾びれ部３８のひれ部５６は、後方に向けて上方に傾斜して延び、その両側部５８，６０は、両側に向けて下方に傾斜して延びる。
【手続補正１５】
【補正対象書類名】図面
【補正対象項目名】図１
【補正方法】変更
【補正の内容】
【図１】
2015128401.tif 000001